(57)【特許請求の範囲】
【請求項１】
建物に設けられる換気用の貫通孔に設置され、シャッター部が取り付けられる伸縮機構を収容する収容部が内部に設置される換気ユニット本体と、
前記収容部に挿通される内形部を有するフィルター部と、
前記収容部の外周部と前記フィルター部の内形部に夫々設けられ、前記換気ユニット本体と前記フィルター部との相対回動に伴い掛止する掛止手段とを備え、
前記掛止手段は、前記換気ユニット本体と前記フィルター部との相対回動に伴い移動する膨出部と案内溝とを備え、前記案内溝は、前記換気ユニット本体の前後方向に形成される第１案内溝と、前記膨出部が当接して前記フィルター部が前方側へ移動するのを規制する掛止面を有する第２案内溝とを備え、
前記掛止面は、前記前後方向に形成される第１嵌合部を有してなり、前記膨出部は、前記第１嵌合部に対応してロック状態となる第２嵌合部を有してなることを特徴とする換気ユニット。
【請求項２】
前記第１嵌合部は、前記膨出部との当接面方向に突出する突状部とされ、前記第２嵌合部は、前記突状部が嵌まり込む嵌まり込み部とされる請求項１に記載の換気ユニット。
【請求項３】
前記内形部の外周部は、前記フィルター部を前記収容部に掛止する際の把持部とされる請求項１又は請求項２に記載の換気ユニット。
【発明の詳細な説明】
【技術分野】
【０００１】
本発明は、建物内の換気を行うための換気ユニットに関するものである。
【背景技術】
【０００２】
従来より、外枠体と機構本体との相対回転にともなって、両者を着脱可能に係合させる換気ユニットが公知である。例えば、当該換気ユニットは、建物に設けられた貫通孔に嵌入される外筒部における内周縁部の案内部と、外枠体の内部に挿入した機構本体における開口端部の突起とが相対回転にともなって係合するものである。また、案内部には突起が嵌まり込んでロック状態となる嵌め込み部が設けられており、当該嵌め込み部は案内部の終端付近に外枠体の中心方向に突出した箇所を設けることにより形成される換気ユニットが公知である（特許文献１参照）。
【先行技術文献】
【特許文献】
【０００３】
【特許文献１】特許第４６７０１１５号公報
【発明の概要】
【発明が解決しようとする課題】
【０００４】
しかしながら、特許文献１の構造では、フィルター部を交換する際には、まず外枠体との係合を解除し、機構本体を取り外す必要がある。当該フィルター部は、機構本体の後部側に位置するフィルター部囲み部の内部に配置されており、フィルター部押さえ具がフィルター部囲み部に係合されることによって機構本体に取り付けられている。すなわち、機構本体を取り外したうえで、機構本体における後部側のフィルター部押さえ具の係合を解除する必要があるため、作業の煩雑さが懸念されるものであった。
【０００５】
そして、フィルター部を交換した場合には、外筒部の案内部に対して機構本体の突起を合致させた状態で、機構本体を回転させることによって係合させる必要がある。このため、比較的高所に設置されるという換気ユニットの特性から、当該合致状態を目視で確認したうえでの係合作業は行いにくく、手探りでの作業であったため、上述作業の煩雑さと相俟って、全体としてフィルター部の交換作業が煩雑となることが懸念されるものであった。
【０００６】
そこで、本発明はこのような問題点を解決するものであって、設置高さに関わらず、フィルター部の交換作業を容易に行うことができる換気ユニットを提供することを課題とする。
【課題を解決するための手段】
【０００７】
前記問題点を解決するために、本発明の請求項１に記載の換気ユニットは、建物に設けられる換気用の貫通孔に設置され、シャッター部が取り付けられる伸縮機構を収容する収容部が内部に設置される換気ユニット本体と、前記収容部に挿通される内形部を有するフィルター部と、前記収容部の外周部と前記フィルター部の内形部に夫々設けられ、前記換気ユニット本体と前記フィルター部との相対回動に伴い掛止する掛止手段とを備え、前記掛止手段は、前記換気ユニット本体と前記フィルター部との相対回動に伴い移動する膨出部と案内溝とを備え、前記案内溝は、前記換気ユニット本体の前後方向に形成される第１案内溝と、前記膨出部が当接して前記フィルター部が前方側へ移動するのを規制する掛止面を有する第２案内溝とを備え、前記掛止面は、前記前後方向に形成される第１嵌合部を有してなり、前記膨出部は、前記第１嵌合部に対応してロック状態となる第２嵌合部を有してなることを特徴とするものである。
【０００８】
また、本発明の請求項２に記載の換気ユニットは、請求項１に記載の換気ユニットにおいて、前記第１嵌合部は、前記膨出部との当接面方向に突出する突状部とされ、前記第２嵌合部は、前記突状部が嵌まり込む嵌まり込み部とされるものである。
【０００９】
また、本発明の請求項３に記載の換気ユニットは、請求項１又は請求項２に記載の換気ユニットにおいて、前記内形部の外周部は、前記フィルター部を前記収容部に掛止する際の把持部とされるものである。
【発明の効果】
【００１１】
本発明の換気ユニットでは、目視しながら換気ユニット本体とフィルター部とを掛止させにくい状況であっても、内形部を把持しフィルター部と収容部の夫々の中心を合致させて、フィルター部を収容部に挿通し回動させることで、容易に掛止させることができる。
【００１２】
また、フィルター部の交換の際、従来の作業と比較して機構本体を取り外す必要がないので、全体としてフィルター部の交換を容易に行うことができ、作業効率を向上させることができる。
【図面の簡単な説明】
【００１３】
【図１】本発明の実施例における換気ユニットのシャッター部が開状態での一部破断斜視図である。
【図２】本発明の実施例における換気ユニットの分解斜視図である。
【図３】本発明の実施例における換気ユニットの換気ユニット本体及びフィルター部の一部破断斜視図である。
【図４】本発明の実施例における換気ユニットのフィルター部の（ａ）正面図、（ｂ）Ｈ−Ｈ断面図である。
【図５】本発明の実施例における換気ユニットのフィルター部の（ａ）掛止前の状態説明図、（ｂ）掛止後の状態説明図である。
【発明を実施するための形態】
【００１４】
以下、本発明の実施の形態における換気ユニットを図面に基づいて説明する。当該換気ユニットは、建物の壁面に設けられる貫通孔に嵌合されるものであって、換気ユニットに取り付けられるシャッター部によって、換気ユニット本体の開口とシャッター部との間に生じる給気口の開口領域を調整することができるものである。
【００１５】
換気ユニットにおいて、室内側に露出するシャッター部側を当該換気ユニットの前方とし、建物の壁面側を当該換気ユニットの後方とする。
【実施例】
【００１６】
本発明の実施例に係る換気ユニットは、図１及び図２に示すように、主に、建物に設けられる換気用の貫通孔に設置される換気ユニット本体１０と、換気ユニット本体１０の前方側に着脱可能に取り付けられるフィルター部５０と、換気ユニット本体１０に対して可動可能なシャッター部６０とから構成される。
【００１７】
換気ユニット本体１０は、図１から図３に示すように、建物に設けられる換気用の貫通孔に嵌合される枠体２０と、枠体２０の内部に設置される収容部３０と、収容部３０に収容される伸縮機構４０とを備えてなる。
【００１８】
枠体２０は、建物の壁面に設けられる貫通孔に嵌合されるものである。当該枠体２０は、図２に示すように、筒状体２１と、嵌合凹部２２と、鍔部２３とを備えており、例えば合成樹脂等で成形される。
【００１９】
筒状体２１は、例えば略円筒状に形成されており、当該軸方向に貫通孔２４を有してなる。そして、開口における一端部には、シャッター部６０を嵌合可能とする嵌合凹部２２が筒状体２１の外周部から外径方向に設けられる。また、嵌合凹部２２の外径方向には、鍔部２３が延設して設けられる。このとき、嵌合凹部２２は、シャッター部６０の外形に対応する形状であれば、特に制限されるものではないし、鍔部２３においても、環状、多角形状等の適宜の形状とすることができる。
【００２０】
また、筒状体２１の内周部２５には、フィルター部５０を設置する際に位置決めとなる当接片２６を設けることが望ましい。当該当接片２６は、内周部２５から内径方向に突出して設けられる。本実施例においては、２箇所の幅狭の当接片と２箇所の幅広の当接片とが夫々対向するように設けられるが、これに限られることなく、適宜の形状とすることができるのは勿論である。
【００２１】
収容部３０は、図１から図３に示すように、枠体２０の内部に設置され、伸縮機構４０を収容するものであって、例えば合成樹脂等で成形される。より詳細には、収容部３０は、鍔部２３側における前方側の一端が開口するとともに、筒状体２１の軸方向と同軸方向に配置した状態で支持部３１によって、枠体２０における平面視の略中央部に支持される。
【００２２】
本実施例においては、収容部３０は、内周部２５の４箇所から内径方向に突出し、筒状体２１の内部にて略十字状に形成される支持部３１によって支持されるが、収容部３０の支持形態については特に制限されるものではない。
【００２３】
また、収容部３０の外周部には、フィルター部５０との掛止手段が設けられる。当該掛止手段は、換気ユニット本体１０とフィルター部５０との相対回動に伴い掛止するものである。
【００２４】
収容部３０の掛止手段は、案内溝３２とされる。当該案内溝３２は、第１案内溝３３と第２案内溝３４とから構成される。第１案内溝３３は、後述するフィルター部５０の膨出部５５を誘導するものである。また、第２案内溝３４は、当該膨出部５５を掛止して、フィルター部５０が室内側である前方側へ移動するのを規制するものである。本実施例においては、案内溝３２は収容部３０における外周部の対向する２箇所に設けられる。
【００２５】
第１案内溝３３は、収容部３０の外周部から内径方向に凹んだ状態で、収容部３０における鍔部２３側の一端から後方側へ向けて形成される。すなわち、第１案内溝３３は、換気ユニット本体１０の前後方向に形成されることとなる。このとき、第１案内溝３３の後端面と当接片２６の前端面とを略同一平面上に形成することが望ましい。これにより、フィルター部５０を安定した状態で設置することができる。
【００２６】
第２案内溝３４は、第１案内溝３３に対して掛止手段の回動方向側に位置した状態で隣接して設けられる。より詳細には、収容部３０の外周部上において、第１案内溝３３と第２案内溝３４との間に、後述する膨出部５５の略外形分が移動可能となる領域を連通させた状態で設けられる。
【００２７】
また、第２案内溝３４の前端面は、後述する膨出部５５が当接する掛止面３５とされる。当該掛止面３５は、膨出部５５が当接してフィルター部５０が前方側へ移動するのを規制するものである。更に、掛止面３５には、膨出部５５との当接面方向とされる後方側へ向けて突出する突状部３６を設けることが望ましい。案内溝３２と膨出部５５との関係については、後述する。
【００２８】
伸縮機構４０は、図１から図３に示すように、２つのスライダが付勢手段によって前後方向に進退可能となるよう構成されるものである。これにより、換気ユニット本体１０に取り付けられたシャッター部６０が開閉可能となるものである。
【００２９】
本実施例においては、伸縮機構４０は、図２に示すように、前後方向にスライド可能に組み合わされる第１スライダ４１と第２スライダ４２と、両スライダ４１、４２を離反する方向に付勢する付勢手段４３を備えてなる。また、第１スライダ４２には爪部（図示しない）を有する係止部材４４が取り付けられ、第２スライダ４２には爪部を案内する案内路（図示しない）が設けられる。当該案内路は、前部から後部を経て再び前部に至るループ状のものとされる。このようにして構成される伸縮機構４０は、第１スライダ４１に設けられる係合片４５を介して収容部３０に着脱可能な状態で固着される。
【００３０】
フィルター部５０は、図１から図３に示すように、換気ユニット本体１０の前方側に着脱可能に取り付けられる。当該フィルター部５０は、環状の外形部５１と、外形部５１の内側に設けられる内形部５２とが支持部５３を介して連結されて形成される。また、支持部５３にて区画される外形部５１と内形部５２との間には、フィルター５４が夫々配設されてなる。
【００３１】
また、図４（ｂ）に示すように、例えば、内形部５２の前端面は、外形部５１の前端面より突出して形成される。内形部５２の外周部は、フィルター部５０を収容部３０へ挿通する際の把持部とすることができる。
【００３２】
本実施例においては、フィルター部５０は、外形部５１の４箇所から内径方向に突出して略十字状に形成された支持部５３によって支持されるが、内形部５２の支持形態については特に制限されるものではない。
【００３３】
また、フィルター部５０における内形部５２の内周部には、収容部３０との掛止手段が設けられる。当該掛止手段は、換気ユニット本体１０とフィルター部５０との相対回動に伴い掛止するものである。
【００３４】
フィルター部５０の掛止手段は、膨出部５５とされる。当該膨出部５５の前端面は、第２案内溝３４の掛止面３５が当接する箇所とされる。更に、膨出部５５には、突状部３６に対応する当接部５６と嵌まり込み部５７とを設けることが望ましい。本実施例においては、膨出部５５は内形部５２における内周部の対向する２箇所に設けられる。
【００３５】
より詳細には、当接部５６は、膨出部５５に対して掛止手段の回動方向側の一端部に設けられる。当該当接部５６は、突状部３６との摺動抵抗を軽減するために傾斜状とすることがより望ましい。そして、当接部５６を膨出部５５の頂部とし、後方側へ段部を介した状態で他端部へ向けて嵌まり込み部５７が設けられる。これにより、当接部５６を介して、突状部３６を嵌まり込み部５７に嵌まり込ませることによって、掛止手段のロック状態とすることができる。
【００３６】
シャッター部６０は、図１及び図２に示すように、換気ユニット本体１０に取り付けられ、伸縮機構４０によって、換気ユニット本体１０の開口とシャッター部６０との間に生じる給気口の開口領域を調整することができるものである。当該シャッター部６０は、換気ユニット本体１０の嵌合凹部２２に対応する蓋体６１に弾性部材６２が設置されており、蓋体６１から突設される取付部（図示しない）を介して伸縮機構４０に連結される。
【００３７】
このようにして構成される換気ユニットは、フィルター部５０を換気ユニット本体１０に嵌め込み、フィルター部５０を例えば時計回りに回動させることによって、両者を一体化して掛止状態とすることができる。また、フィルター部５０を例えば反時計回りに回動させることによって、両者を分離状態とすることができる。より詳細には、次のようにして、フィルター部５０の交換作業が行われる。
【００３８】
図５（ａ）に示すように、フィルター部５０を換気ユニット本体１０に取り付ける際には、内形部５２を把持した状態で、フィルター部５０と収容部３０の夫々の中心を合致させる。そして、フィルター部５０の膨出部５５を収容部３０の第１案内溝３３に誘導させるようにして、フィルター部５０の内形部５２を収容部３０に挿通させる。これにより、第１案内部３３の後端面と膨出部５５が当接するとともに、図１に示すように当接片２６と外形部５１が当接することで、フィルター部５０は換気ユニット本体１０に対して位置決めされた状態となる。
【００３９】
このとき、第１案内溝３３は、収容部３０における前方側の一端から後方側へ向けて形成されるので、比較的高所であって目視しながら膨出部５５を第１案内溝３３に誘導させにくい状況であっても、フィルター部５０を収容部３０に押し当てながら回転させることで、膨出部５５を強制的に第１案内溝３３に誘導させることができる。
【００４０】
次に、図５（ｂ）に示すように、フィルター部５０が位置決めされた状態において、内形部５２を把持しながら、換気ユニット本体１０に対してフィルター部５０を回動させ、膨出部５５を第２案内溝３４へと移動させる。より詳細には、フィルター部５０を回動させて、第２案内溝３４の突状部３６を膨出部５５の当接部５６に対して摺動させ、これを乗り越えた状態で突状部３６が嵌まり込み部５７に到達するまで回動させる。これにより、フィルター部５０が換気ユニット本体１０に対して掛止された状態、且つ、ロック状態となる。
【００４１】
すなわち、膨出部５５が第２案内溝３４の掛止面３５又は突状部３６と当接することで、フィルター部５０が換気ユニット本体１０の前方側へ移動するのを規制することができる。更には、所定以上の力でフィルター部５０を反時計回りに回動させない限り、突状部３６と膨出部５５のロック状態が解除されない状態となる。
【００４２】
このようにしてフィルター部５０を時計回りに回動させることで、両者を一体化して掛止状態とすることができる。また、両者を分離状態とする際には、フィルター部５０を反時計回りに回動させればよいので、その説明は省略する。
【００４３】
以上、説明した本発明に係る換気ユニットによれば、換気ユニットが比較的高所に設置されており、目視しながら膨出部５５を第１案内溝３３に誘導させにくい状況であっても、フィルター部５０を収容部３０に押し当てながら回動させることで、膨出部５５を強制的に第１案内溝３３に誘導させることができる。
【００４４】
また、換気ユニット本体１０の前方側、すなわち、嵌合凹部２２の近傍にフィルター部５０が取り付けられているので、従来のように機構本体を取り外す必要がなく、フィルター部５０の交換を容易に行うことができ、作業効率を向上させることができる。
【００４５】
また、上述した実施例において、案内溝３２、膨出部５５の形状、寸法、材質等を適宜変更して実施することが可能である。例えば、第１案内溝３３においては、枠体２０の軸方向に対して平行して形成されるものであってもよいし、傾斜状、螺旋状に形成されるものであってもよく、これに限られない。すなわち、換気ユニット本体１０の前後方向に形成されていればよい趣旨である。
【００４６】
また、案内溝３２をフィルター部５０側に設け、膨出部５５を収容部３０側に設けることもできる。更に、伸縮機構４０は、上述した構成に限られるものではない。例えば、最短状態（シャッター部６０の閉状態）から後方側に遊び分（押し代分）だけスライダを押し込んだ解除状態にて、押し込む力を弱めると伸縮機構４０が最長状態となる、いわゆるプッシュ式の伸縮機構によって、換気ユニット本体１０に取り付けられたシャッター部６０を開閉可能とする構成であればよい趣旨である。
【００４７】
更に、一部構成を省略することができるし、一部抽出した構成とすることができるのは勿論である。
【符号の説明】
【００４８】
１０      換気ユニット本体
２６      当接片
３０      収容部
３２      案内溝
３３      第１案内溝
３４      第２案内溝
３５      掛止面
３６      突状部
４０      伸縮機構
５０      フィルター部
５１      外形部
５２      内形部
５５      膨出部
５７      嵌まり込み部
６０      シャッター部
【要約】      （修正有）【課題】設置高さに関わらず、フィルター部の交換作業を容易に行うことができる換気ユニットを提供する。【解決手段】建物に設けられる換気用の貫通孔に設置され、シャッター部６０が取り付けられる伸縮機構を収容する収容部３０が内部に設置される換気ユニット本体１０と、前記収容部３０に挿通される内形部を有するフィルター部と、前記収容部３０の外周部と前記フィルター部の内形部に夫々設けられ、前記換気ユニット本体１０と前記フィルター部との相対回動に伴い掛止する掛止手段とを備えることを特徴とする換気ユニット。【選択図】図１【図１】
0005622135.tif 000002
【図２】
0005622135.tif 000003
【図３】
0005622135.tif 000004
【図４】
0005622135.tif 000005
【図５】
0005622135.tif 000006